(57)【要約】【課題】安価でコンパクトかつ耐久性を有する自由回転構造を備える消防用自由回転継手を提供すること。【解決手段】弾性材からなるＣ字形状の収納リングと、前記収納リングを全収納可能な第一周溝を接続部の外周面に有する雄継手と、前記収納リングの外周過半部を収納可能な第二周溝を接続部の内周面に有する雌継手と、を具備して構成され、前記第一周溝及び前記第二周溝が同一軸方向位置に対向配置された状態で雄雌継手が嵌合し、かつ、前記第一周溝及び前記第二周溝の対向空間内に前記収納リングが弾性付勢状態で収納されてなる消防用自由回転継手。【選択図】図１
2018059272.tif 000002
【特許請求の範囲】
【請求項１】
弾性材からなるＣ字形状の収納リングと、
前記収納リングを全収納可能な第一周溝を接続部の外周面に有する雄継手と、
前記収納リングの外周過半部を収納可能な第二周溝を接続部の内周面に有する雌継手と、
を具備して構成され、
前記第一周溝及び前記第二周溝が同一軸方向位置に対向配置された状態で雄雌継手が嵌合し、かつ、前記第一周溝及び前記第二周溝の対向空間内に前記収納リングが弾性付勢状態で収納されてなる消防用自由回転継手。
【請求項２】
止水可能な弾性材からなる２本の環状の止水リングをさらに具備し、
前記雄継手の接続部の外周面及び前記雌継手の接続部の内周面の少なくともいずれかに２本の第三周溝を有し、
前記２本の環状の止水リングの外周側又は内周側の一部が各々前記２本の第三周溝に収納されて、雄雌継手の各接続部間に固定されてなる請求項１に記載の消防用自由回転継手。
【請求項３】
前記２本の第三周溝の軸方向位置の間に、第一周溝及び第二周溝の対向空間が形成されてなる請求項２に記載の消防用自由回転継手。
【請求項４】
前記雌継手は、接続部の外周面から内周面の第二周溝の溝底へ亘って貫通する複数個の螺子孔を有し、
各螺子孔内に螺入して固定される複数本の調整ピンをさらに具備して構成され、
少なくとも２本以上の調整ピンの各ピン先が前記収納リングの外周に加圧接触してなり、当該加圧接触してなる各調整ピンを螺子孔内で螺進させることで、前記収納リングを弾性変形させ弾性付勢状態を可変させ得る請求項１乃至請求項３のいずれかに記載の消防用自由回転継手。
【請求項５】
第二周溝に収納リングの外周半部が収納した嵌合状態から調整ピンを螺進させ収納リングを軸中心側へ圧接変形させることで第一周溝に全収納させて雄雌継手の接続部が嵌合解除可能な嵌合解除状態とし得る請求項４に記載の消防用自由回転継手。
【発明の詳細な説明】
【技術分野】
【０００１】
本発明は、消防用自由回転継手に関し、特に、消火栓に使用される消防用自由回転継手に関する。
【背景技術】
【０００２】
消火栓に使用される消防用継手には、接続される消防用ホースの向きを自由に変更できるように、継手が径方向に自由に回転できるように構成されたものがある。例えば、特許文献１には、入口流路の軸線に対し直角方向に設けられた出口流路の端部にＬ字状継手が袋ナットを該端部の外周に螺合させることにより回転自在に装着され、かつ、該Ｌ字状継手の端部にホース用受口が袋ナットを該端部の外周に螺合させることにより固定された給水栓が開示されている。
【０００３】
特許文献１に開示される給水栓では、入口流路、該入口流路に対し直角方向に設けられた出口流路、及び入口流路と出口流路との間にこれら流路に連通するよう設けられた弁室を有するアングルバルブ型弁本体と、ダイヤフラムまたはピストンにより保持され弁室内に上下動自在に配設された弁体と、ダイヤフラムまたはピストンを保持すると共にダイヤフラムまたはピストンの上部に一次圧室を形成するボンネットとを具備し、出口流路の端部にＬ字状継手が回転自在に装着され、該Ｌ字状継手の端部にホース用受口が装着されている。
【０００４】
このため、該ホース用受口にそれに対応したホースを接続して弁を開状態にすると該Ｌ字状継手が３６０度方向に回転できるため、該給水栓の周辺にくまなく給水あるいは散水することができるとしている。
【先行技術文献】
【特許文献】
【０００５】
【特許文献１】特開平０７−０２８３３８号公報
【発明の開示】
【発明が解決しようとする課題】
【０００６】
しかしながら、消防用継手用には高圧水がかかるとともに緊急使用されるため耐久性が要求される。例えば、消火栓の圧力については水道施設の技術的基準を定める省令第7条に規定されており、消火栓を使用しない場合の配水管の圧力は、配水管から給水管に分岐する箇所での配水管の最小動水圧が１５０キロパスカルを下らないこととされ、消火栓の使用時においては、前号にかかわらず、配水管内が正圧に保たれていることとされている。このため従来の自由回転継手は、耐久性を確保するために大型化し、軸方向距離、外径方向厚さ共に嵩むものであった。一方、消火栓ボックス内など限られたスペースに収容するためコンパクトに構成する要望がある。また、消火栓ボックス内に収容されない場合でも、消火栓を小型化するためにコンパクトに構成する要望がある。
【０００７】
本発明は、かかる事情に鑑みてなされたものであり、安価でコンパクトかつ耐久性を有する自由回転構造を備える消防用自由回転継手を提供することを目的とする。
【課題を解決するための手段】
【０００８】
本発明に係る消防用自由回転継手は、弾性材からなるＣ字形状の収納リングと、前記収納リングを全収納可能な第一周溝を接続部の外周面に有する雄継手と、前記収納リングの外周過半部を収納可能な第二周溝を接続部の内周面に有する雌継手と、を具備して構成され、前記第一周溝及び前記第二周溝が同一軸方向位置に対向配置された状態で雄継手及び雌継手が互いに嵌合し、かつ、前記第一周溝及び前記第二周溝の対向配置によって形成される対向空間内に前記収納リングが弾性付勢状態で収納されてなる。
【０００９】
上記の構成によれば、Ｃ字状の収納リングを対向空間内に弾性付勢状態で収納することでコンパクトに構成でき、かつ常に弾性復帰力がかかるためガタツキが少なく耐久性が向上する。
【００１０】
また、本発明に係る消防用自由回転継手は、止水可能な弾性材からなる２本の環状の止水リングをさらに具備し、前記雄継手の接続部の外周面及び前記雌継手の接続部の内周面の少なくともいずれかに２本の第三周溝を有し、前記２本の環状の止水リングの外周側又は内周側の一部が各々前記２本の第三周溝に収納されて、雄雌継手の各接続部間に固定されてなる。
【００１１】
上記の構成によれば、２本の止水リングで止水性を確保すると共に、第一周溝又は第二周溝のいずれかと、２本の第三周溝と、からなる三連溝を形成し、三連溝内夫々への弾性リング体の三連収納によりガタツキが抑えられ、耐久性が向上する。
【００１２】
また、本発明に係る消防用自由回転継手は、前記２本の第三周溝の軸方向位置の間に、第一周溝及び第二周溝の間に形成される対向空間が形成されてなる。
【００１３】
上記の構成によれば、２本の止水リングで止水性を確保すると共に、止水リング間の軸位置に収納リングを挟む形で収納することで、収納リングを収納する対向空間への水やほこりの進入を防ぐことができ、収納リングの錆や劣化が抑制され、さらに耐久性が向上する。
【００１４】
また、本発明に係る消防用自由回転継手の前記雌継手は、接続部の外周面から内周面の第二周溝の溝底へ亘って貫通する複数個の螺子孔を有し、各螺子孔内に螺入して固定される複数本の調整ピンをさらに具備して構成され、少なくとも２本以上の調整ピンの各ピン先が前記収納リングの外周に加圧接触してなり、当該加圧接触してなる各調整ピンを螺子孔内で螺進させることで、前記収納リングを弾性変形させ弾性付勢状態を可変させ得る。
【００１５】
上記の構成によれば、調整ピンで収納リングを弾性変形させることで、収納リングの弾性力が足りない時などに、弾性復帰力を調整できる。
【００１６】
また、本発明に係る消防用自由回転継手は、第二周溝に収納リングの外周半部が収納した嵌合状態から調整ピンを螺進させ収納リングを軸中心側へ圧接変形させることで第一周溝に全収納させて雄雌継手の接続部が嵌合解除可能な嵌合解除状態とし得る。
【００１７】
上記の構成によれば、調整ピンを螺進させ収納リングを軸中心側へ圧接変形させて嵌合解除することで止水リング、収納リングの交換が可能となる。
【発明の効果】
【００１８】
本発明によれば、安価でコンパクトかつ耐久性を有する自由回転構造を備える消防用自由回転継手を提供することができる。
【図面の簡単な説明】
【００１９】
【図１】実施形態に係る消防用自由回転継手の正面図である。
【図２】実施形態に係る消防用自由回転継手の断面図である。
【図３】実施形態に係る消防用自由回転継手の一部拡大断面図である。
【図４】実施形態に係る消防用自由回転継手の収納リングの平面図である。
【図５】実施形態に係る消防用自由回転継手の嵌合方法を示す図である。
【図６】実施形態に係る消防用自由回転継手の嵌合方法を示す図である。
【図７】実施形態に係る消防用自由回転継手の嵌合解除方法を示す図である。
【図８】実施形態に係る消防用自由回転継手を用いた消火栓の概要図である。
【図９】実施形態に係る消防用自由回転継手の他の例による一部拡大断面図である。
【図１０】実施形態に係る消防用自由回転継手の他の例による一部拡大断面図である。
【発明を実施するための形態】
【００２０】
図１は、実施形態に係る消防用自由回転継手の正面図である。図２は、実施形態に係る消防用自由回転継手の断面図である。図３は、実施形態に係る消防用自由回転継手の一部拡大断面図である。図４は、実施形態に係る消防用自由回転継手の収納リングの平面図である。以下、図１〜図４を参照して、実施形態に係る消防用自由回転継手の構成について説明する。
【００２１】
図１に示すように、実施形態に係る消防用自由回転継手１は、収容リング１０と、雄継手２０と、雌継手３０とを具備して構成される。収納リング１０は、弾性材からなり、図４の平面図に示すようにＣ字形状となっている。
【００２２】
雄継手２０は、内部に流通路２５Ｈを有する筒状体の本体部２５と、雌継手３０と接続される接続部２２とからなる。本体部２５は、流通路２５Ｈと同軸方向に第一開口部２５Ａと、流通路２５Ｈに対して軸が９０度異なる方向に第二開口部２５Ｂを有する。第一開口部２５Ａと第二開口部２５Ｂは、消防用ホースが取り付けられるように螺子溝が形成されている。
【００２３】
雄継手２０の接続部２２は、内部に本体部２５の流通路２５Ｈと連通する流通路２２Ｈを有する。雄継手２０の接続部２２は、外周面２３に収納リング１０を全収納可能な第一周溝２１と、２本の環状の止水リング４０の内周側の一部が収容される２本の第三周溝２４Ａ，２４Ｂをと有する。
【００２４】
雌継手３０は、内部に流通路３０Ｈを有する筒状体の本体部３５と、雄継手２０と接続される接続部３２とからなる。本体部３５は、消火栓本体の給水口に接続される第三開口部３５Ａを有する。接続部３２は、内部に本体部３５の流通路３５Ｈと連通する流通路３２Ｈを有する。また、接続部３２は、内周面３３に収納リング１０の外周過半部を収納可能な第二周溝３１を有する。
【００２５】
ここで、図２の断面図に示すように、雄継手２０が接続部２２の外周面２３に有する第一周溝２１と、雌継手３０が接続部３２の内周面３３に有する第二周溝３１が同一軸方向位置に対向配置された状態で雄雌継手２０，３０が嵌合し、かつ、第一周溝２１及び第二周溝３１の対向空間内Ｓに収納リング１０が弾性付勢状態で収納されることで雄雌継手２０，３０が接続される。なお、この実施形態では、図２に示すように、雄継手２０が接続部２２に有する２本の第三周溝２４Ａ，２４Ｂの軸方向位置の間に、第一周溝２１及び第二周溝３１の対向空間Ｓが形成されている。
【００２６】
また、図３に示すように、雌継手３０は、接続部３２の外周面３６から内周面３２の第二周溝３１の溝底へ亘って貫通する複数個の螺子孔３０Ｈを有する。各螺子孔３０Ｈ内には、螺入して固定される複数本の調整ピン５０を具備している。そして、少なくとも２本以上の調整ピン５０の各ピン先５１が収納リング１０の外周に加圧接触させ、当該加圧接触させた各調整ピン５０を、雌継手３０の接続部３２の螺子孔５１内で螺進させることで収納リング１０を図４（ａ）に示す状態から図４（ｂ）に示す状態に弾性変形させることができるように構成されている。なお、調整ピン５０は、螺子孔３０Ｈからその頭が突出しないようにイモ螺子やさら螺子等を使用することが好ましい。
【００２７】
図５及び図６は、実施形態に係る消防用自由回転継手の嵌合方法を示す図である。以下、図５及び図６を参照して実施形態に係る消防用自由回転継手の嵌合方法について説明する。初めに、図５に示すように、雄継手２０が接続部２２の外周面２３に有する第一周溝２１に収納リング１０を嵌め込む（嵌合させる）。また、雄継手２０が接続部２２の外周面２３に有する２本の第三周溝２４Ａ，２４Ｂに各々２本の環状の止水リング４０を嵌め込む（嵌合させる）。
【００２８】
次に、図６に示すように、雌継手３０の接続部３２を、雄継手２０の接続部２２に押し込み、接続部２２の第一周溝２１及び接続部３２の第二周溝３１が同一軸方向位置に対向配置された状態で雄雌継手２０，３０が嵌合し、かつ、第一周溝２１及び第二周溝３１の対向空間内Ｓに収納リング１０が弾性付勢状態で収納された状態、すなわち、雌継手３０の接続部３２と雄継手２０の接続部２２とが回転可能に嵌合した状態となる。
【００２９】
図７は、実施形態に係る消防用自由回転継手の嵌合解除方法を示す図である。以下、図７を参照して、実施形態に係る消防用自由回転継手の嵌合解除方法について説明する。初めに、図７（ａ）に示すように、雌継手３０の接続部３２の第二周溝３１に収納リング１０の外周半部が収納した嵌合状態から、図７（ｂ）に示すように、調整ピン５０を螺進させ収納リング１０を軸中心側へ圧接変形させて雄継手２０の接続部２２の第一周溝２１に全収納させる。図７（ｂ）に示すように、収納リング１０を接続部２２の第一周溝２１に全収納ことにより、雄雌継手２０，３０の接続部２２，３２の嵌合状態を解除することができる。
【００３０】
図８は、実施形態に係る消防用自由回転継手を用いた消火栓の概要図である。図８に示す消火栓では、実施形態に係る消防用自由回転継手１を２つ備えており、雄継手２０の第二開口部２５ＢにはキャップＣＡＰが夫々はめられている。また、落下防止のために、キャップＣＡＰは、ケーブルＬで消火栓本体に結び付けられている。図８に示す消火栓を実際に使用する際は、キャップＣＡＰを取り外して消防用ホースを接続する。実施形態に係る消防用自由回転継手１は、雄継手２０と雌継手３０とが互いに３６０度方向に自由回転できるため、該給水栓の周辺にくまなく給水あるいは散水することができる。
【００３１】
なお、図１〜３に示すように、実施形態では、止水可能な弾性材からなる２本の環状の止水リング４０を収容する２本の第三周溝２４Ａ，２４Ｂを雄継手２０の接続部２２の外周面２３に有する構成となっているが、雌継手３０の接続部３２の内周面３３に２本の第三周溝を有する構成としてもよい。この場合、２本の環状の止水リング４０の外周側の一部が各々雌継手３０の２本の第三周溝に収納されて、雄雌継手２０，３０の各接続部２２，３２間に固定される。
【００３２】
また、止水可能な弾性材からなる２本の環状の止水リング４０を収容する２本の第三周溝２４Ａ，２４Ｂを雄継手２０の接続部２２の外周面２３及び雌継手雌継手３０の接続部３２の内周面３３の夫々に有する構成としても良い。
【００３３】
さらに、図１〜３に示すように、実施形態では２本の第三周溝２４Ａ，２４Ｂの軸方向位置の間に、第一周溝２１及び第二周溝３１の対向空間Ｓが形成されているが、図９及び図１０に示すように、２本の第三周溝２４Ａ，２４Ｂを並べて配置し、軸方向位置の外側（図９参照）又は内側（図１０参照）に第一周溝２１及び第二周溝３１の対向空間Ｓが形成されるように構成してもよい。
【００３４】
以上のように、実施形態に係る消防用自由回転継手１は、弾性材からなるＣ字形状の収納リング１０と、収納リング１０を全収納可能な第一周溝２１を接続部２２の外周面２３に有する雄継手２０と、収納リング１０の外周過半部を収納可能な第二周溝３１を接続部３２の内周面３３に有する雌継手３０とを具備して構成される。そして、第一周溝２１及び第二周溝３１が同一軸方向位置に対向配置された状態で雄雌継手２０，３０が嵌合し、かつ、第一周溝２１及び第二周溝３１の対向空間内Ｓに収納リング１０が弾性付勢状態で収納される。
【００３５】
実施形態に係る消防用自由回転継手１によれば、Ｃ字状の収納リング１０を対向空間Ｓ内に弾性付勢状態で収納することでコンパクトに構成でき、かつ常に弾性復帰力がかかるためガタツキが少なく耐久性が向上する。
【００３６】
また、実施形態に係る消防用自由回転継手１は、止水可能な弾性材からなる２本の環状の止水リング４０をさらに具備し、雄継手２０の接続部２２の外周面２３及び雌継手３０の接続部３２の内周面３３の少なくともいずれかに２本の第三周溝を有し、２本の環状の止水リング４０の外周側又は内周側の一部が各々２本の第三周溝に収納されて、雄雌継手２０，３０の各接続部２２，３２間に固定される。
【００３７】
実施形態に係る消防用自由回転継手１によれば、２本の止水リング４０で止水性を確保すると共に、収納リング１０との三連溝内の三連収納によりガタツキが抑えられ、耐久性が向上する。
【００３８】
また、実施形態に係る消防用自由回転継手１は、２本の第三周溝の軸方向位置の間に、第一周溝２１及び第二周溝３１の対向空間Ｓが形成されている。
【００３９】
実施形態に係る消防用自由回転継手１によれば、２本の止水リング４０で止水性を確保すると共に、止水リング４０間の軸位置に収納リング１０を挟む形で収納することで、収納リング１０を収納する対向空間Ｓへの水やほこりの進入を防ぐことができ、収納リング１０の錆や劣化が抑制され、さらに耐久性が向上する。
【００４０】
また、実施形態に係る消防用自由回転継手１の雌継手３０は、接続部３２の外周面３６から内周面３２の第二周溝３１の溝底へ亘って貫通する複数個の螺子孔３０Ｈを有する。また、各螺子孔３０Ｈ内には、螺入して固定される複数本の調整ピン５０を具備する。そして、少なくとも２本以上の調整ピン５０の各ピン先５１が収納リング１０の外周に加圧接触してなり、当該加圧接触してなる各調整ピン５０を螺子孔３０Ｈ内で螺進させることで、収納リング１０を弾性変形させ弾性付勢状態を可変させ得る。
【００４１】
実施形態に係る消防用自由回転継手１によれば、調整ピン５０で収納リング１０を弾性変形させることで収納リング１０の弾性力が足りない時などに、弾性復帰力を調整できる。
【００４２】
また、実施形態に係る消防用自由回転継手１は、第二周溝３１に収納リング１０の外周半部が収納した嵌合状態から調整ピン５０を螺進させ収納リング１０を軸中心側へ圧接変形させることで第一周溝２１に全収納させて雄雌継手２０，３０の接続部２２，３２が嵌合解除可能な嵌合解除状態とすることができる。
【００４３】
実施形態に係る消防用自由回転継手１によれば、調整ピン５０を螺進させ収納リング１０を軸中心側へ圧接変形させて嵌合解除することで止水リング４０、収納リング１０の交換が可能となる。
【符号の説明】
【００４４】
１  消防用自由回転継手
１０  収納リング
２０  雄継手
２１  第一周溝
２２  接続部
２３  外周面
２４  第三周溝
３０  雌継手
３０Ｈ  螺子孔
３１  第二周溝
３２  接続部
３３  内周面
４０  止水リング
Ｓ  対向空間
５０  調整ピン
５１  調整ピンのピン先
【図１】
2018059272.tif 000003
【図２】
2018059272.tif 000004
【図３】
2018059272.tif 000005
【図４】
2018059272.tif 000006
【図５】
2018059272.tif 000007
【図６】
2018059272.tif 000008
【図７】
2018059272.tif 000009
【図８】
2018059272.tif 000010
【図９】
2018059272.tif 000011
【図１０】
2018059272.tif 000012